(57)【特許請求の範囲】
【請求項１】
円筒状を呈するとともに、軸方向に延びるスリットが先端側に形成された柄棒と、
緯糸束の端部を経糸によって偏立した房素材からなり、前記経糸が前記柄棒の外周面に当該柄棒の先端側から螺旋状に巻き付けられることで当該柄棒に固着された房状の第１塵埃吸着部と、
糸束の基部を結束した穂素材からなり、前記柄棒の中空部に当該基部が嵌挿／固着され、前記第１塵埃吸着部の先端側から穂状に突出した第２塵埃吸着部と
を備え、
前記柄棒は、前記経糸の巻き付けにより前記スリットが閉じて前記第２塵埃吸着部の基部を固定することを特徴とする静電式塵埃吸着具。
【請求項２】
前記柄棒の先端側に係止孔が穿設され、当該係止孔に前記第２塵埃吸着部の基部を貫通するピンが嵌挿されたことを特徴とする、請求項１に記載の静電式塵埃吸着具。
【請求項３】
前記第２塵埃吸着部の後端に両面粘着テープが巻き付けられたことを特徴とする、請求項１または請求項２に記載の静電式塵埃吸着具。
【請求項４】
先端側に軸方向に延びるスリットが形成された円筒状の柄棒と、緯糸束の端部を経糸によって偏立してなる房素材と、糸束の基部を結束してなる穂素材とを用い、
前記柄棒の先端側に前記穂素材の基部を嵌入させ、当該柄棒の先端から穂状に突出した第２塵埃吸着部を形成する工程と、
前記房素材の経糸を前記柄棒の先端側から螺旋状に巻き付けることで、当該柄棒の外周に房状の第１塵埃吸着部を形成すると同時に、前記スリットを閉じさせて当該柄棒に前記第２塵埃吸着部を固定する工程と
を含むことを特徴とする静電式塵埃吸着具の製造方法。
【発明の詳細な説明】
【技術分野】
【０００１】
本発明は、静電式塵埃吸着具とおよびその製造方法に関する。
【背景技術】
【０００２】
コンビニエンスストアや雑貨品店等では、陳列棚に置かれた商品に付着した埃等を除去するために、静電式の塵埃吸着具（以下、静電ハタキと記す）が広く用いられている。静電ハタキは、静電気を帯びやすいポリプロピレンを素材とする延伸解繊糸や不織布（以下、これらを吸着材と記す）を柄棒に取り付けたものである。静電ハタキでは、物品の表面に軽く触れるだけで吸着材に埃が吸着されるため、電気掃除機や通常の埃除けブラシ等を用いた場合とは異なり、小型軽量な商品をはじき飛ばしたりすることなく微細な埃を除去することができる。静電ハタキの形態としては、吸着材の端部を偏立した経糸を柄棒に螺旋状に巻き付けて房状にしたもの（特許文献１参照）や、多数の切り込みを設けた帯状の吸着材を柄棒に螺旋状に巻き付けて穂状にしたもの（特許文献２参照）が公知となっている。
【特許文献１】特公昭６１−１９２５９号公報
【特許文献２】特開平１０−２８６２１１号公報
【発明の開示】
【発明が解決しようとする課題】
【０００３】
特許文献１の静電ハタキには、物品の表面に付着した埃の除去は容易に行えるが、房の径が大きいために物品間の隙間や陳列棚の隅等に吸着材が届き難く、これらの部位に溜まった埃が除去できないという問題があった。また、特許文献２の静電ハタキには、狭い部位に溜まった埃の除去は比較的容易に行えるが、柄棒の先端を物品に向けるかたちで用いることになるために使い勝手が悪いだけでなく、吸着材の総量（すなわち、吸着できる埃の量）もあまり多くできないという問題があった。
【０００４】
本発明は、このような背景に鑑みなされたもので、多様な部位の埃を効率的に除去できる静電式塵埃吸着具およびその製造方法を提供することを目的とする。
【課題を解決するための手段】
【０００５】
請求項１に係る静電式塵埃吸着具は、円筒状を呈するとともに、軸方向に延びるスリットが先端側に形成された柄棒と、緯糸束の端部を経糸によって偏立した房素材からなり、前記経糸が前記柄棒の外周面に当該柄棒の先端側から螺旋状に巻き付けられることで当該柄棒に固着された房状の第１塵埃吸着部と、糸束の基部を結束した穂素材からなり、前記柄棒の中空部に当該基部が嵌挿／固着され、前記第１塵埃吸着部の先端側から穂状に突出した第２塵埃吸着部とを備え、前記柄棒は、前記経糸の巻き付けにより前記スリットが閉じて前記第２塵埃吸着部の基部を固定することを特徴とする。
【０００６】
また、請求項２に係る静電式塵埃吸着具は、請求項１に記載の静電式塵埃吸着具において、前記柄棒の先端側に係止孔が穿設され、当該係止孔に前記第２塵埃吸着部の基部を貫通するピンが嵌挿されたことを特徴とする。
【０００７】
また、請求項３に係る静電式塵埃吸着具は、請求項１または請求項２に記載の静電式塵埃吸着具において、前記第２塵埃吸着部の後端に両面粘着テープが巻き付けられたことを特徴とする。
【０００８】
また、請求項４に係る静電式塵埃吸着具の製造方法は、先端側に軸方向に延びるスリットが形成された円筒状の柄棒と、緯糸束の端部を経糸によって偏立してなる房素材と、糸束の基部を結束してなる穂素材とを用い、前記柄棒の先端側に前記穂素材の基部を嵌入させ、当該柄棒の先端から穂状に突出した第２塵埃吸着部を形成する工程と、前記房素材の経糸を前記柄棒の先端側から螺旋状に巻き付けることで、当該柄棒の外周に房状の第１塵埃吸着部を形成すると同時に、前記スリットを閉じさせて当該柄棒に前記第２塵埃吸着部を固定する工程とを含むことを特徴とする。
【発明の効果】
【０００９】
本発明に係る静電式塵埃吸着具によれば、房状の第１塵埃吸着部を用いることで物品の表面等の埃を効率的に除去でき、穂状の第２塵埃吸着部を用いることで物品間の隙間や棚の隅等の埃を容易に除去できる。また、本発明に係る静電式塵埃吸着具の製造方法によれば、高い生産効率をもって丈夫な静電式塵埃吸着具を得ることができる。
【発明を実施するための最良の形態】
【００１０】
以下、図面を参照して、本発明を適用した静電式塵埃吸着具を詳細に説明する。
図１は実施形態に係る静電ハタキの斜視図であり、図２は実施形態に係る静電ハタキの縦断面図であり、図３は実施形態に係る静電ハタキの部品構成を示す展開斜視図であり、図４は実施形態に係る静電ハタキの製造工程を示す斜視図である。
【００１１】
≪静電ハタキの構成≫
図１，図２に示すように、本実施形態の静電ハタキ１は、円筒状の柄棒２と、柄棒２の外周面に形成された房状の第１塵埃吸着部３と、第１塵埃吸着部３の先端から穂状に突出した第２塵埃吸着部４と、柄棒２における第１塵埃吸着部３の基端側に嵌め込まれたカバー５と、柄棒２の他端に嵌め込まれたエンドキャップ６とを主要構成要素としている。
【００１２】
図３に示すように、柄棒２は、硬質樹脂を素材とするパイプを所定の長さに切断したものであり、先端側にスリット２ａと係止孔２ｂとが形成され、中間部にピン孔２ｃが形成され、後端側に吊下紐孔２ｄが形成されている。スリット２ａは柄棒２の軸方向に延設されており、柄棒２の先端側がこのスリット２ａから開くようになっている。また、係止孔２ｂには第２塵埃吸着部４の固定に供される樹脂ピン（いわゆる、スマートピン）７が嵌挿され、ピン孔２ｃにはカバー５の固定に供されるストッパピン８が圧入され、吊下紐孔２ｄには吊下紐９が通される。
【００１３】
第１塵埃吸着部３は、ポリプロピレンを素材とする延伸解繊糸を捲縮加工した緯糸束１０ａと、緯糸束１０ａの端部を偏立する経糸１０ｂとからなる房素材１０からなっており、後述するように、房素材１０の経糸１０ｂを柄棒２に螺旋状に巻き付けることにより形成されている。
【００１４】
第２塵埃吸着部４は、ポリプロピレンを素材とする延伸解繊糸を捲縮加工した糸束４ａと、糸束４ａを粘着テープで捲き締めてなる基部４ｂとからなっており、基部４ｂが柄棒２の先端に嵌入／固着されている。
【００１５】
カバー５は、先端側が拡がったラッパ状を呈しており、ストッパピン８に係止される位置で第１塵埃吸着部３の後部を前方に付勢する。また、エンドキャップ６は、柄棒２に嵌挿される小径部６ａと、柄棒２の後端に係止される大径部６ｂとからなっており、小径部６ａには吊下紐９が通される吊下紐孔６ｃが形成されている。
【００１６】
≪静電ハタキの製造方法≫
以下、図４（ａ），（ｂ）を参照し、静電ハタキ１の製造方法を説明する。
静電ハタキ１の製造にあたり、組立作業者は、先ず、図４（ａ）に示すように、第２塵埃吸着部４の後端に両面粘着テープ１２を巻き付け、この両面粘着テープ１２を介して房素材１０の経糸１０ｂの端部を第２塵埃吸着部４に粘着させた後、スリット２ａに経糸１０ｂを進入させながら第２塵埃吸着部４の後部を柄棒２内に所定量嵌入させる。なお、柄棒２はスリット２ａで図中左右方向に開くため、第２塵埃吸着部４の嵌入は容易に行える。組立作業者は、第２塵埃吸着部４の柄棒２への嵌入を終えると、図示しない工具を用いて樹脂ピン７を柄棒２の係止孔２ｂに打ち込む。係止孔２ｂから打ち込まれた樹脂ピン７は、第２塵埃吸着部４を貫通して柄棒２の反対側の面に突き抜け、これにより第２塵埃吸着部４が柄棒２に固定される。
【００１７】
次に、組立作業者は、図４（ｂ）に示すように、所定のピッチをもって、房素材１０の経糸１０ｂを柄棒２に螺旋状に巻き付けてゆく。これにより、柄棒２は捲き締められてスリット２ａが閉じ、第２塵埃吸着部４が柄棒２により強固に固定される。経糸１０ｂの巻き付けが進行すると、房素材１０の緯糸束１０ａが柄棒２の周囲に密集した状態で立設され、第１塵埃吸着部３が房状に形成される。組立作業者は、房素材１０の巻き付けを終了すると、房素材１０の端部を粘着テープ（図示せず）で固定した後、柄棒２のピン孔２ｃにストッパピン８を圧入する。なお、ストッパピン８の圧入は、柄棒２に第２塵埃吸着部４を嵌入させる工程の前に（すなわち、単体の柄棒２に対して）行ってもよい。
【００１８】
次に、組立作業者は、柄棒２の後端からカバー５を嵌め込み、このカバー５をストッパピン８によって固定される位置まで前進させる。これにより、第１塵埃吸着部３の後端がカバー５により前方に押し付けられ、房素材１０の緯糸束１０ａが前方に倒れることで第１塵埃吸着部３の形状が整えられる。しかる後、組立作業者は、柄棒２の後端にエンドキャップ６を嵌め込み、柄棒２およびエンドキャップ６の吊下紐孔２ｄ，６ｃに吊下紐９を通し、吊下紐９の端部を結ぶことにより組立作業を終了する。
【００１９】
≪実施形態の作用≫
清掃作業者は、静電ハタキ１を用いて物品や棚板に付着した埃を除去する場合、第１塵埃吸着部３で物品や棚板の表面を撫で、生起された静電気によって第１塵埃吸着部３に埃を吸着させる。第１塵埃吸着部３は、房状となっているために物品等を撫でる作業が容易であり、また、緯糸束１０ａ（吸着材）の総量が大きいために比較的大量の埃を吸着できる。一方、清掃作業者は、物品間の隙間や陳列棚の隅等に溜まった埃を除去する場合、第２塵埃吸着部４で該部を撫で、生起された静電気によって第２塵埃吸着部４に埃を吸着させる。第２塵埃吸着部４は、穂状となっているために狭い部位にも糸束４ａが届きやすく、埃の除去が効率的に行える。
【００２０】
本実施形態の場合、第１塵埃吸着部３を構成する緯糸束１０ａや第２塵埃吸着部４を構成する糸束４ａは、ポリプロピレンを素材とする柔軟かつ強靱、軽量な延伸解繊糸であるため、埃を除去する際にちぎれ飛ぶようなことが無く、吸着した埃も中性洗剤等によって容易に落とすことができ、更に静電ハタキ１が軽量となって清掃作業者の疲労も少なくなる。
【００２１】
以上で具体的実施形態の説明を終えるが、本発明は上記実施形態に限定されることなく幅広く変形実施することができる。例えば、上記実施形態は、本発明を静電ハタキに適用したものであるが、自動車の埃を除去するダスター等に適用してもよい。また、上記実施形態では第１塵埃吸着部や第２塵埃吸着部の素材としてポリプロピレンの延伸解繊糸を用いたが、静電気を帯びやすいものであれば、他の帯電性樹脂や獣毛等を用いることもできるし、多数の切り込みを設けた帯状を呈するもの等であってもよい。上記実施形態では第２塵埃吸着部を柄棒に一体化するようにしたが、用途に応じて第２塵埃吸着部の材質や硬さや変えたり、消耗時に第２塵埃吸着部のみを新しいものに交換したりできるように、柄棒に対して第２塵埃吸着部を着脱可能としてもよい。また、第１塵埃吸着部や第２塵埃吸着部の具体的形状や静電ハタキの具体的構成等についても本発明の趣旨を逸脱しない範囲で適宜変更可能である。
【図面の簡単な説明】
【００２２】
【図１】実施形態に係る静電ハタキの斜視図である。
【図２】実施形態に係る静電ハタキの縦断面図である。
【図３】実施形態に係る静電ハタキの部品構成を示す展開斜視図である。
【図４】実施形態に係る静電ハタキの製造工程を示す斜視図である。
【符号の説明】
【００２３】
１      静電ハタキ
２      柄棒
３      第１塵埃吸着部
４      第２塵埃吸着部（穂素材）
４ａ    糸束（延伸解繊糸）
５      カバー
６      エンドキャップ
７      樹脂ピン
８      ストッパピン
９      吊下紐
１０    房素材
１０ａ  緯糸束（延伸解繊糸）
【図１】
0004521346.tif 000002
【図２】
0004521346.tif 000003
【図３】
0004521346.tif 000004
【図４】
0004521346.tif 000005